(57)【要約】【課題】  ペットの散歩時に持ち運びが容易で、ペットのしぐさで糞の兆候が見られた時、手元のボタン操作ですばやく伸び広がり、糞回収袋を容易にペットの臀部に差し出すことが可能とし、糞回収袋は適度な大きさに広がることで地面に糞が落下しないようにする。【解決手段】  伸延するシャフトと二股骨と糞回収袋を適度に広げるばねとペット臀部に接触しても痛くなく、驚かない弾力性部材と回収袋の大きさに関係なく使用できるように引張用ばねで構成され、小さくたため、軽量で持ち運びが容易で、かがまなくても糞が回収できるものとした。【選択図】    図２
0003118892.tif 000002
【実用新案登録請求の範囲】
【請求項１】
手元のボタン操作により伸びるシャフトと、シャフトを伸ばすシャフト伸展ばねと、このシャフトの伸延と同じくして扇型に広がる二股骨と、二股骨を伸展する二股骨伸展ばねと、この伸展した二股骨とシャフト間に張られたペット糞回収袋を弾力よく広げる為に、二股骨を扇型に広がった状態を保持するようにシャフトと二股骨の先端の間に装備された広げ用ばねと、この二股骨とシャフト間に張られたペット糞回収袋と、この二股骨の先端部に糞回収袋を広げるように装備された弾力性部材と、この糞回収袋の基端部をシャフト側に引張る引張用ばねとで成したことを特徴とするペット用携帯糞回収器。
【考案の詳細な説明】
【技術分野】
【０００１】
本考案は手元操作によりすばやく伸延、展開し、持ち運びが容易で、かがまなくてもペットの糞を処置できるので、高齢化する社会において貢献する糞回収器に関するものである。
【背景技術】
【０００２】
従来からの糞回収器等は大きく持ち運びが不便であった。下記特許文献１および特許文献２。
【０００３】
従来からの糞回収器等は地面に落ちた糞を回収しようというものであり、いずれは糞回収器により回収しきれない地面の糞を回収するためにかがまなければならなかった。下記特許文献３。
【特許文献１】特開２００１−３２０９９８号公報
【特許文献２】特開２００５−００６６１４号公報
【特許文献３】実開平０６−４６０２０号公報
【考案の開示】
【考案が解決しようとする課題】
【０００４】
本考案は、ペットの散歩時に持ち運びが容易で、ペットのしぐさで糞の兆候が見られた時、手元のボタン操作ですばやく伸び広がり、糞回収袋を容易にペットの臀部に差し出すことが可能とし、糞回収袋は適度な大きさに広がることで地面に糞が落下しないことから、かがまなくても糞を回収できることとした。
【０００５】
従来の装置は重く、又は大きいものがあったが、本考案は折りたため軽量化し、持ち運びが容易にできるものとした。
【課題を解決するための手段】
【０００６】
本発明は上記の課題を解決する為に、伸延するシャフトと二股骨と糞回収袋を適度に広げるばね広げ用ばねと、例えペット臀部に接触しても痛くない、驚かない弾力性を有する部材と回収袋の大きさに関係なく使用できるように引張ばねで構成され、小さくたため、軽量で持ち運びが容易でかがまなくても糞が回収できるものとした。
【考案の効果】
【０００７】
ペットの飼い主であれば、ペットのしぐさで糞の兆候はある程度わかるものであり、その兆候時に本考案のボタン操作によりすばやく伸延、展開し、あらかじめ装着しておいた糞回収袋が適度な弾力を持って展開しペットの臀部に差し出すことができれば、かがまなくても糞を回収できる。
【考案を実施するための最良の形態】
【０００８】
以下本考案の形態を示す図面に基づき説明する。
【０００９】
図１に示す如く、あらかじめ糞回数袋を装着し、持ち運び状態の正面図。
【００１０】
図２に示す如く、握り手１に装着されている操作ボタン２を操作し、連動するフック３が外れ伸縮シャフト５が伸び、二股骨１３が展開し、あらかじめ装着されていた糞回収袋１６が引張ばね１０と二股骨１３の先端に装着された弾性部材１２により適度に広がり、臀部に差し出すことで糞を受けることが可能な稼動状態正面図。
【００１１】
図３に示す如く、握り手１に装着されている操作ボタン２を操作し、連動するフック３が外れ伸縮シャフト５が伸び、二股骨１３が展開し、あらかじめ装着されていた糞回収袋１６が引張ばね１０と二股骨１３の先端に装着された弾性部材１２により適度に広がり、臀部に差し出すことで糞を受けることが可能な稼動状態で、二股骨１３および先端の弾性部材１２は糞回収袋１６にカバーされ、糞が付着しにくい構造を示した平面図。
【００１２】
図４に示す如く、握り手１に装着されている操作ボタン２を操作し、連動するフック３が外れ伸縮シャフト５が伸び、二股骨１３が展開し、あらかじめ装着されていた糞回収袋１６が引張ばね１０と二股骨１３の先端に装着された弾性部材１２により適度に広がり、臀部に差し出すことで糞を受けることが可能な稼動状態の、糞回収袋が装着されていない構造図で、糞回収袋の大きさにより伸びる引張ばね１０は無力状態を示す正面図
【００１３】
図５に示す如く、糞回収袋の大きさにより屈曲する弾性部材１２は無力状態を示す図
【００１４】
図６に示す如く、広げ用ばね１４はシャフト５の先端に取り付けられたカバー９に装着されて、展開時には外側に広がる力を発生するように展開することを示す図。
【００１５】
図７に示す如く、この二股骨１３は二股骨伸展ばね７の下部カバー８に装着された二股骨伸展骨１５に支えられ、シャフト５の先端に取り付けられたカバー９に装着された二股骨広げ用ばね１４により引っ張られ、しなっていることを示す図。
【００１６】
図８に示す如く、糞回収袋１６の引張用ばね１０は無力状態の時このようにたたまれることを示した図。
【００１７】
図９に示す如く、糞回収袋の引張用ばね１０は無力状態の時このようにたたまれることを示した図。
折りたたみ時にはシャフト４に装着されたフック３によりシャフト５の切り込みを通し二股骨伸展ばねカバーの切り込みに３ａのように引っかかり、伸展シャフト５と二股骨伸展ばねカバー６を保持することを示した図。
【００１８】
図１０に示す如く、糞回収袋を装着した時には糞回収袋の引張用ばね１０は図のようにしなり、伸びることで糞回収袋の大きさに制限されない構造を示した図。
【図面の簡単な説明】
【００１９】
【図１】ペット用携帯糞回収器に糞回収袋を装着し、折りたたんだ状態図
【図２】ペット用携帯糞回収器に糞回収袋を装着し、握り手１に装着されている操作ボタン２を操作し展開した糞回収稼動状態の正面図。
【図３】ペット用携帯糞回収器に糞回収袋を装着し、握り手１に装着されている操作ボタン２を操作し展開した糞回収稼動状態の平面図。
【図４】握り手１に装着されている操作ボタン２を操作し展開した糞回収袋１６を装着しない正面構造図
【図５】握り手１に装着されている操作ボタン２を操作し展開した糞回収袋１６を装着しない平面構造図
【図６】二股骨１３を扇型に広げ、糞回収袋を適度に広げる為の広げ用ばね１４の平面拡大構造図。
【図７】二股骨１３の広げ用ばね１４カバー６の平面拡大図  二股骨１３を扇形に広げ、糞回収袋を適度に広げる為の広げ用ばね１４の正面拡大構造図。
【図８】二股骨１３の二股骨伸展ばねカバー上６の平面拡大図
【図９】二股骨１３の二股骨伸展ばねカバー上６の正面拡大図
【図１０】二股骨伸展ばねカバー上６の正面拡大図
【符号の説明】
【００２０】
１    握り手
２    操作ボタン
３    折りたたみフック、２と連動する。
４    内側シャフト
５    伸縮外側シャフト（シャフト伸展ばね内臓）
６    二股骨伸展ばねカバー上（７および、１０、１１が装着される）
７    二股骨伸展ばね
８    二股骨伸展ばねカバー下（７および、１５が装着される）
９    シャフト先端カバー（１３および１４が装着される）
10    糞回収袋の大きさに関係なく利用できるようにシャフト根元に装備された引張用ばね
11    二股骨収縮骨（６に装着される）
12    二股骨１３の先端部にペットの臀部に接触しても痛くなく、また適度に糞回収袋を広げるように装備された弾力性部材
13    二股骨
14    二股骨が扇型に広がった状態を保持するようにシャフト先端カバー９と二股骨１３の中間部間に装備された広げ用ばね
15    二股骨伸展骨（８に装着される）
16    糞回収袋である。
【図１】
0003118892.tif 000003
【図２】
0003118892.tif 000004
【図３】
0003118892.tif 000005
【図４】
0003118892.tif 000006
【図５】
0003118892.tif 000007
【図６】
0003118892.tif 000008
【図７】
0003118892.tif 000009
【図８】
0003118892.tif 000010
【図９】
0003118892.tif 000011
【図１０】
0003118892.tif 000012